(57)【要約】【課題】通信、特にアナログ通信においては通信の秘話性を高めるため、音声波形を様々な方法で変形させていた。しかしながら、変形は入力音声の波形のブロックを単に置換するレベルのものであったため、一部音声が聞き取れると、これを手がかりに元の入力音声の復元ができてしまう場合があった。【解決手段】以上課題解決のため、本発明では入力音声の素片を暗号鍵により別の音声素片に置換することで伝送を行う。これにより、音声の一部を聞きとって復元することは不可能となり、通信の秘匿性が向上する。【選択図】図３
2013098869.tif 000002
【特許請求の範囲】
【請求項１】
音声素片とインデックスとを対応づけた対応表を保持する対応表保持部と、
言語入力を受付ける言語入力受付部と、
言語入力受付部から入力された言語を構成する音声素片のインデックスである
生インデックスを対応表から生成する生インデックス生成部と、
生インデックスを暗号化したインデックスである
暗号化インデックスを取得する暗号化インデックス取得部と、
取得した暗号化インデックスに対応する音声素片を対応表から取得し、
音声合成を行う秘話化音声合成部と、
合成された秘話化音声を出力する出力部と、
を有する出力装置と、
秘話化音声を取得する取得部と、
音声素片とインデックスとを対応づけた対応表を保持する対応表保持部と、
取得した秘話化音声に応じた音声素片のインデックスである暗号化インデックスを
対応表を利用して生成する暗号化インデックス生成部と、
暗号化インデックスを復号化して生インデックスを取得する
生インデックス復号化部と、
復号化された生インデックスにより音声素片を取得し、
対応する言語を復元する言語復元部と、
を有する復元装置と、
からなる音声システム。
【請求項２】
言語入力受付部は、音声言語の入力を受付ける音声言語入力受付手段を有する請求項１に記載の音声システム。
【請求項３】
言語入力受付部は、テキスト言語の入力を受付けるテキスト言語入力受付手段を有する請求項１又は２に記載の音声システム。
【請求項４】
言語入力を受付ける言語入力受付ステップと、
言語入力受付ステップにおいて入力された言語を構成する音声素片のインデックスである生インデックスを、音声素片とインデックスとを対応づけた対応表から生成する生インデックス生成ステップと、
生インデックスを暗号化したインデックスである暗号化インデックスを取得する暗号化インデックス取得ステップと、
取得した暗号化インデックスに対応する音声素片を前記対応表から取得し、音声合成を行う秘話化音声合成ステップと、
合成された秘話化音声を出力する出力ステップと、
秘話化音声を取得する取得ステップと、
取得した秘話化音声に応じた音声素片のインデックスである暗号化インデックスを、
音声素片とインデックスとを対応づけた対応表を利用して生成する暗号化インデックス生成ステップと、
暗号化インデックスを復号化して生インデックスを取得する生インデックス復号化ステップと、
復号化された生インデックスにより音声素片を取得し、対応する言語を復元する言語復元ステップと、
からなる音声システムの動作方法。
【請求項５】
言語入力受付ステップは、音声言語の入力を受付ける音声言語入力受付サブステップを有する請求項５に記載の音声システムの動作方法。
【請求項６】
言語入力受付ステップは、テキスト言語の入力を受付けるテキスト言語入力受付サブステップを有する請求項５又は６に記載の音声システムの動作方法。
【発明の詳細な説明】
【技術分野】
【０００１】
本発明は、通信、特にアナログ通信において秘話性を向上させる技術に関する。
【背景技術】
【０００２】
通信の秘匿化は現代において必須の技術である。一方、通信方式のうちアナログの音声通信は古くから通信路が確立されており、これを利用することによって簡便に通信を行うことができる。しかしながら、アナログ通信は入力音声波形そのものを通信路に流すため、盗聴などに対し脆弱性を有する点が問題となる。このため、アナログ通信の音声波形を操作することによって、通信の秘匿性を向上させる試みが存在する。非特許文献１および２では、上記試みが従来技術として紹介されている。図８から図１０は従来技術によりアナログ通信の秘匿性を高めた通信方式である。非特許文献１において、図８では、一定時間内においてサンプリングを行い、サンプルの順序を時間軸上で前後させている。図９においては、音声の波形を一定時間で区切り、ブロックとしており、これを並べ替え送信することで秘匿性を得ている。また、非特許文献２においては、図１０のように、周波数スペクトルにおいて所定のルールでスペクトルの反転を行っている。
【非特許文献１】ＩＥＥＥ ＴＲＡＮＳＡＣＴＩＯＮＳ  ＯＮ  ＣＯＭＭＵＮＩＣＡＴＩＯＮＳ，  ＶＯＬ．  ＣＯＭ−２９，  ＮＯ．  Ｉ，  ＪＡＮＵＡＲＹ  １９８１
【非特許文献２】Ｄ．Ｗ．  Ｄａｖｉｅｓ  （Ｅｄ．）：  Ａｄｖａｎｃｅｓ  ｉｎ  Ｃｒｙｐｔｏｌｏｇｙ  −  ＥＵＲＯＣＲＹＰＴ  '９１，  ＬＮＣＳ  ５４７，  ｐｐ．  ４２２−４３０，  １９９１．
【発明の開示】
【発明が解決しようとする課題】
【０００３】
しかしながら、これらの方法では、暗号化したい音声そのものに対して並べ替える等の操作を行うので、部分的に元の音声が聞こえてしまう場合がある。そうするとそれを手がかりに並べ変えを行えば、比較的容易に復元ができてしまう可能性がある。このように、暗号化したい音声そのものに対して操作を行う方法では解読にあたって探索空間が限られてしまうため、通信の秘匿化が確保できない。したがって、暗号化したい音声以外の音声で通信を行い、十分な通信の秘匿化の確保を行うことが課題として生ずる。
【課題を解決するための手段】
【０００４】
以上の課題を解決するために、第一に本発明は以下のような音声システムを提供する。まず、システムに入力された言語入力に応じて、音声素片のインデックス列を取得する。次に、そのインデックス列を暗号化鍵によって、別のインデックス列に置換する。置換されたインデックス列により音声合成を行い秘話化音声を生成し、その音声を伝送路により送信する。受信側においては、受信した秘話化音声に応じて音声素片のインデックス列を取得する。次に、復号化鍵により、インデックス列を送信前のインデックス列に復元する。復元したインデックス列により音声合成を行い、音声などとして出力する。
【０００５】
具体的には、音声素片とインデックスとを対応づけた対応表を保持する対応表保持部と、言語入力を受付ける言語入力受付部と、言語入力受付部から入力された言語を構成する音声素片のインデックスである生インデックスを対応表から生成する生インデックス生成部と、生インデックスを暗号化したインデックスである暗号化インデックスを取得する暗号化インデックス取得部と、取得した暗号化インデックスに対応する音声素片を対応表から取得し、音声合成を行う秘話化音声合成部と、合成された秘話化音声を出力する出力部と、を有する出力装置と、秘話化音声を取得する取得部と、音声素片とインデックスとを対応づけた対応表を保持する対応表保持部と、取得した秘話化音声に応じた音声素片のインデックスである暗号化インデックスを対応表を利用して生成する暗号化インデックス生成部と、
暗号化インデックスを復号化して生インデックスを取得する生インデックス復号化部と、復号化された生インデックスにより音声素片を取得し、対応する言語を復元する言語復元部と、を有する復元装置と、からなる音声システムである。
【０００６】
第二は、上記第一の音声システムを基本として、システムへの言語入力が音声である音声システムを提供する。
【０００７】
具体的には、言語入力受付部は、音声言語の入力を受付ける音声言語入力受付手段を有する請求項１に記載の音声システムである。
【０００８】
第三は、上記第一または第二の音声システムを基本として、システムへの言語入力がテキストデータである音声システムを提供する。
【０００９】
具体的には、言語入力受付部は、テキスト言語の入力を受付けるテキスト言語入力受付手段を有する請求項１又は２に記載の音声システムである。
【発明の効果】
【００１０】
以上のような構成をとる第一の本発明によって、システムへの言語入力に対して、音声素片のインデックス列を取得し、これを暗号化鍵により置換を行うことが可能となる。そうすると、置換されたインデックス列により音声合成することにより、入力された言語入力以外の音声素片による秘話化音声を伝送路に流すことが可能となる。受信側においては、受信した秘話化音声に応じて音声素片のインデックスを取得し、これを復号化鍵で復元し、元の音声素片のインデックス列を取得可能である。このインデックス列により音声合成を行うと、元の音声が復元出来るといった具合である。このように、伝送媒体に流す音声がシステムへ入力された音声以外の音素列とすることにより、通信の秘匿性が向上することとなる。
【００１１】
また、第二の本発明によって、システムへの言語入力が音声であることにより、伝送路を介して秘話化音声を送信し、受信側へほぼリアルタイムで音声を送信することが可能である。これにより、電話のような、双方向リアルタイムのコミュニケーションを通信の秘匿性を確保しつつ、行うことが可能である。
【００１２】
また、第三の本発明によって、システムへの言語入力がテキストデータであることにより、テキストを音声に変換した上で、通信が可能である。受信側で音声からテキストデータへ変換する処理を行えば、ファクシミリのようなオフラインのコミュニケーションが、秘匿性を確保しつつ行うことが可能である。
【発明を実施するための最良の形態】
【００１３】
以下に、図を用いて本発明の実施の形態を説明する。なお、本発明はこれら実施の形態に何ら限定されるものではなく、その要旨を逸脱しない範囲において、種々なる態様で実施しうる。
【００１４】
≪実施例≫
<概要>
図１は、本実施例の音声システムの動作の一例を説明するための概念図である。この図にあるように、受信機と送信機があり、送信機に対する「あめになる」という言語入力を秘話化音声「おやせまめ」とし、受信機に送信している。受信機側では秘話化音声「おやせまめ」を復元し、「あめになる」という出力を得ている。
【００１５】
具体的に説明すると、送信機側で「あめになる」という入力を得た後、入力のパターンに応じて、音声素片データベースのインデックスを取得する。実際の音声素片データベースは大量のパターンを含むが、簡単のため本事例においては、図２（Ａ）のようなインデックス・テーブルから付与されているとする。すると、「Ａ１  Ｇ４  Ｅ２  Ｅ１  Ｉ３」というインデックス列が取得できる（図２（Ｂ））。このインデックスを暗号化鍵によって発生させた暗号に基づき、別のインデックス列に置換する。「Ａ５  Ｈ１  Ｃ４  Ｇ１  Ｇ４」というインデックス列が取得できたとする。そうすると、素片データベースのインデックスにより「おやせまめ」という秘話化文字列が得られる（図２（Ｃ））。当該文字列は音声素片データベースに基づき、音声合成により音声化し、アナログ通信路などを介して受信機に送信される。
【００１６】
受信機側では、秘話化音声「おやせまめ」のパターンに応じ、音声素片データベースよりインデックス列を取得する。本事例においては「Ａ５  Ｈ１  Ｃ４  Ｇ１  Ｇ４」のインデックス列が取得される。このインデックス列を復号化鍵により復元すると、送信機において置換前の「Ａ１  Ｇ４  Ｅ２  Ｅ１  Ｉ３」とのインデックス列が取得される。このインデックス列に応じて音声素片データベースを参照し、「あめになる」という文字列に対応する音声が得られる。
【００１７】
このように、本実施例の音声システムは、入力の文字列に対して音声素片データベースのインデックス列を取得し、暗号化鍵により、別の音声素片に対応するインデックス列に置換する処理が可能である。このため、秘話化音声そのものを素片ごとに入れ替えたとしても、元の文字列を得ることは不可能である。したがって高い秘匿性を保ちながら通信が可能である。また、音声合成を用いて送信機側から秘話化音声を受信機側に音声にて送信するため、アナログ通信路のような簡便な通信方法に適する。
【００１８】
<機能的構成１>
図３は、本実施例の音声システムにおける機能ブロックの一例を表す図である。この図にあるように、本実施例の「音声システム」は、「出力装置」（０３０１）と、「復元装置」（０３０２）と、を有する。出力装置（０３０１）は言語入力受付部（０３０３）と、生インデックス生成部（０３０４）と、対応表保持部（０３０５）と、暗号化インデックス取得部（０３０６）と、秘話化音声合成部（０３０７）と、出力部（０３０８）とを有する。復元装置（０３０２）は、取得部（０３０９）と、暗号化インデックス生成部（０３１０）と、対応表保持部（０３１１）と、生インデックス復号化部（０３１２）と、言語復元部（０３１３）とを有する。
【００１９】
言語入力受付部（０３０３）は、出力装置（０３０１）において、言語入力を受付ける機能を有する。
言語とは、音声やテキスト等の音声合成として出力が可能なデータである。入力はマイクロフォンでのリアルタイムの入力や、音声データでの入力、テキストデータでの入力などが考えられる。受け付けた言語入力は、生インデックス生成部（０３０４）へ出力される。
【００２０】
生インデックス生成部（０３０４）は、言語入力受付部から入力された言語を構成する音声素片のインデックスである生インデックスを対応表から生成する機能を有する。具体的には、言語入力に応じて対応表保持部（０３０５）に蓄積されている音声素片のインデックス情報を取得する。例えば、言語入力が音声データである場合においては、ＤＰマッチング等のパターン認識の手段を使用して、入力音声波形に対して最も適合性の高い音声素片を探し出し、その素片のインデックス情報を対応表保持部（０３０５）より取得するといった具合である。ここで得られたインデックス情報はインデックス列として、暗号化インデックス取得部（０３０６）へ出力される。
【００２１】
対応表保持部（０３０５）は、音声素片とインデックスとを対応づけた対応表を保持する機能を有する。具体的には、音声素片データベースに蓄積されている音声素片と、音声素片のインデックスとを関連付けて保持しているテーブルである。例えば素片データが５０音からなるものであった場合には、図５（Ａ）のような対応表等が考えられる。音声素片については、単に５０音から構成されているものの他、母音−母音、母音−子音、子音−母音、子音−子音、のように２音のつながりで構成されているものや、1音素が複数の素片から構成されているもの、また単語レベルで音声素片を構成しているもの等、種々のものが考えられる。
【００２２】
暗号化インデックス取得部（０３０６）は、生インデックスを暗号化したインデックスである暗号化インデックスを取得する機能を有する。生インデックス生成部（０３０４）より入力された図２（Ｂ）のようなインデックス列を、暗号化鍵で他のインデックス列（図２（Ｃ））に置換を実行する。暗号化鍵は、生インデックスを入力データとして、対応表保持部内のインデックスのいずれかに置換するような暗号化などを行う。暗号化方式は、公開鍵暗号方式や秘密鍵（共通鍵）暗号方式などの種々のものが採用可能である。置換された後の暗号化インデックス列は、秘話化音声合成部（０３０７）に出力される。
【００２３】
秘話化音声合成部（０３０７）は、取得した暗号化インデックスに対応する音声素片を対応表から取得し、音声合成を行う機能を有する。暗号化インデックス取得部（０３０６）で置換された後の暗号化インデックス列を入力し、入力にかかる暗号化インデックスに応じて、対応表を参照し、これに基づいて音声素片データベースより音声素片を取得し、音声合成を行う。合成された音声は出力部（０３０８）に出力される。
【００２４】
出力部（０３０８）は、合成された秘話化音声を出力する機能を有する。出力とは、入力の音声を、伝送媒体を介して復元装置（０３０２）の取得部（０３０９）に対して出力することである。伝送方法についてはアナログ通信、デジタル通信、無線、有線等様々な態様が考えられるが、音声波形を伝搬することができるものであればどのような方式でも採用可能である。
【００２５】
取得部（０３０９）は、復元装置（０３０２）において、秘話化音声を取得する機能を有する。出力装置（０３０１）の出力部（０３０８）から出力された音声波形データを取得し、暗号化インデックス生成部（０３１０）に対して出力を行う。
【００２６】
暗号化インデックス生成部（０３１０）は、取得した秘話化音声に応じた音声素片のインデックスである暗号化インデックスを、対応表を利用して生成する機能を有する。具体的には、取得部（０３０９）からの音声波形データをＤＰマッチング等のパターン認識により、最も適合性の高い音声素片を選択し、対応するインデックス情報を対応表保持部（０３１１）から取得する機能を有する。インデックス情報は暗号化インデックス列として、生インデックス復号化部（０３１２）に出力される。
【００２７】
対応表保持部（０３１１）は、復元装置（０３０２）において、音声素片とインデックスとを対応づけた対応表を保持する機能を有する。暗号化インデックス生成部（０３０９）での音声認識の際、または言語復元部（０３１３）において音声合成を行う場合に参照を行う。
【００２８】
対応表保持部（０３１１）における対応表は出力装置（０３０１）の対応表保持部（０３０５）の対応表と同一であるかサブセットである必要がある。音声システム全体で単一の対応表保持部を有して、これを共有する態様であってもよい。
【００２９】
生インデックス復号化部（０３１２）は、暗号化インデックスを復号化して生インデックスを取得する機能を有する。出力装置（０３０１）の暗号化インデックス取得部（０３０６）で使用した暗号化方式を使用して、置換されたインデックス列を元の生インデックスに戻す機能を有する。取得した生インデックスは、言語復元部（０３１３）に対して出力する。
【００３０】
言語復元部（０３１３）は復号化された生インデックスにより音声素片を取得し、
対応する言語を復元する機能を有する。生インデックス復号化部（０３１２）で取得した生インデックスから、対応表に基づいて、音声素片を取得し音声合成を行う。この時出力は音声でもよいし、音声素片に対応するテキストデータでもよい。
【００３１】
<機能的構成２>
図４は、本実施例の音声システムにおける機能ブロックの別の一例を表す図である。この図にあるように、本実施例の「音声システム」は、「出力装置」（０４０１）と、「復元装置」（０４０２）と、を有する。出力装置（０４０１）は言語入力受付部（０４０３）と、生インデックス生成部（０４０４）と、対応表保持部（０４０５）と、暗号化インデックス取得部（０４０６）と、秘話化音声合成部（０４０７）と、出力部（０４０８）とを有する。復元装置（０４０２）は、取得部（０４０９）と、暗号化インデックス生成部（０４１０）と、対応表保持部（０４１１）と、生インデックス復号化部（０４１２）と、言語復元部（０４１３）とを有する。なお上記構成要件については、上記で記載済みであるので、説明は省略する。本構成で特徴的な点は、「出力装置」（０４０１）おける言語入力受付部（０４０３）が、「音声言語入力受付手段」（０４１４）を有する点である。
【００３２】
音声言語入力受付手段（０４１４）は、音声言語の入力を受付ける機能を有する。音声言語とは、音声で生成可能な言語であれば、自然言語に限られず、歌声などであっても構わない。どのような音声言語を使用可能であるかは、音声素片データベースに基づく対応表保持部（０４０５）の対応表に依存することになる。
【００３３】
<機能的構成３>
図５は、本実施例の音声システムにおける機能ブロックのさらに別の一例を表す図である。この図にあるように、本実施例の「音声システム」は、「出力装置」（０５０１）と、「復元装置」（０５０２）と、を有する。出力装置（０５０１）は言語入力受付部（０５０３）と、生インデックス生成部（０５０４）と、対応表保持部（０５０５）と、暗号化インデックス取得部（０５０６）と、秘話化音声合成部（０５０７）と、出力部（０５０８）とを有する。復元装置（０５０２）は、取得部（０５０９）と、暗号化インデックス生成部（０５１０）と、対応表保持部（０５１１）と、生インデックス復号化部（０５１２）と、言語復元部（０５１３）とを有する。なお上記構成要件については、上記で記載済みであるので、説明は省略する。本構成で特徴的な点は、言語入力受付部が、「テキスト言語入力受付手段」（０５１５）を有する点である。
【００３４】
テキスト言語入力受付手段（０５１５）はテキスト言語の入力を受付ける機能を有する。テキスト言語とは、テキストデータであり、音声合成可能なものであればどのようなものでもよい。どのようなテキスト言語を使用可能であるかは、音声言語入力受付手段（０４１４）と同様、音声素片データベースに基づく対応表保持部（０５０５）の対応表に依存することになる。
【００３５】
<処理の流れ>
図６は、本実施例の音声システムにおける処理の流れの一例を表すフローチャートである。まず、出力装置側で、言語入力を受付ける（ステップＳ０６０１）。次に言語入力受付ステップにおいて入力された言語を構成する音声素片のインデックスである生インデックスを、音声素片とインデックスとを対応づけた対応表から生成する（ステップＳ０６０２）。次に、生インデックスを暗号化したインデックスである暗号化インデックスを取得する（ステップＳ０６０３）。次に、取得した暗号化インデックスに対応する音声素片を前記対応表から取得し、音声合成を行う（ステップＳ０６０４）。そして、合成された秘話化音声を出力する（ステップＳ０６０５）。復元装置側では、秘話化音声を取得する（ステップＳ０６０６）。次に、取得した秘話化音声に応じた音声素片のインデックスである暗号化インデックスを
音声素片とインデックスとを対応づけた対応表を利用して生成する（ステップＳ０６０７）。次に、暗号化インデックスを復号化して生インデックスを取得する（ステップＳ０６０８）。次に、暗号化インデックスを復号化して生インデックスを取得する生インデックス復号化ステップと、復号化された生インデックスにより音声素片を取得し、対応する言語を復元する（ステップＳ０６０９）。
【００３６】
<ハードウエア的構成>
図７は、上記機能的な各構成要件をハードウエアとして実現した際の、音声システムにおける構成の一例を表す概略図である。この図を利用して音声通信のそれぞれのハードウエア構成部の働きについて説明する。この図にあるように、本実施例の音声システムは、送信機（０７０１）と受信機（０７０２）とからなる。送信機（０７０１）においては、各種演算処理を行う「ＣＰＵ（中央演算装置）」（０７０３）と、「揮発性メモリ」（０７０４）と、「不揮発性メモリ」（０７０５）と、Ｄ／Ａコンバータ（０７０６）と、マイクロフォン（０７０７）と、ネットワークＩ／Ｆ（０７０８）とを有している。そしてそれらが「システムバス」（０７０９）などのデータ通信経路によって相互に接続され、情報の送受信や処理を行う。
【００３７】
送信機（０７０２）においては、各種演算処理を行う「ＣＰＵ（中央演算装置）」（０７１０）と、「揮発性メモリ」（０７１１）と、「不揮発性メモリ」（０７１２）と、Ｄ／Ａコンバータ（０７１３）と、スピーカ（０７１４）と、ネットワークＩ／Ｆ（０７１５）とを有している。そしてそれらが「システムバス」（０７１６）などのデータ通信経路によって相互に接続され、情報の送受信や処理を行う。
【００３８】
また、「揮発性メモリ」（０７０４、０７１１）は、各種処理を行うプログラムを「ＣＰＵ」（０７０３、０７１０）に実行させるために「不揮発性メモリ」（０７０５、０７１２）から読み出すと同時にそのプログラムの作業領域でもあるワーク領域を提供する。
【００３９】
ここで、マイクロフォン（０７０７）に音声入力があった場合に、Ｄ／Ａコンバータ（０７０６）を介してＣＰＵ（０７０２）にデータが送られる。ＣＰＵ（０７０２）においては、揮発性メモリ（０７０４）に保持されている、Ａ：生インデックス生成プログラムが実行され、Ｂ：対応表と不揮発性メモリ（０７０５）内に蓄積された素片ＤＢ（０７１７）を参照しつつ、生インデックスが作成される。次にＣ：暗号化プログラムがＣＰＵ（０７０３）で実行され、生インデックスが別の素片の暗号化インデックスに置換される。これを用いて、Ｄ：音声合成エンジンをＣＰＵ（０７０３）で素片ＤＢ（０７１７）を参照しつつ、実行することにより秘話化音声が生成される。音声はネットワークＩ／Ｆ（０７０８）を介して受信機（０７０２）に送信される。
【００４０】
受信機側では、ネットワークＩ／Ｆ（０７１５）において秘話化音声を受信する。そうすると音声はＣＰＵ（０７１０）に送られ、実行中のＥ：暗号化インデックス作成プログラムにより暗号化インデックスが生成される。この時当該プログラムは不揮発性メモリ（０７１２）に蓄積された素片ＤＢ（０７１８）と揮発性メモリ（０７１１）に保持されているＧ：対応表とを参照する。次に、暗号化インデックスはＦ：復号化プログラムにより生インデックスに戻される。この生インデックスを、Ｇ：対応表と素片ＤＢ（０７１８）とを参照しつつ、Ｈ：音声合成エンジンで音声化する。音声はＤ／Ａコンバータ（０７１３）を介してスピーカ（０７１４）により出力される。
【００４１】
<効果の簡単な説明>
以上のように本実施例の音声システムによって、出力装置において入力の言語に対して音声素片のインデックス列を得て、このインデックス列を暗号鍵により別のインデックス列に置換することが可能である。これを伝送路により送信する。復元装置においてこれを受信し復号化鍵により元のインデックス列を取得し、入力言語を復元可能となる。これにより、通信の秘匿性が向上する。
【図面の簡単な説明】
【００４２】
【図１】実施例の音声システムによる処理の概要を説明するための図
【図２】実施例の音声システムによる処理の概要を説明するための図
【図３】実施例の音声システムの機能ブロックの一例を表す図
【図４】実施例の音声システムの別の機能ブロックの一例を表す図
【図５】実施例の音声システムのさらに別の機能ブロックの一例を表す図
【図６】実施例の音声システムにおける処理の流れの一例を表すフローチャート
【図７】実施例の音声システムにおけるハードウエア構成の一例を表す概略図
【図８】従来技術における暗号化方式を説明するための概略図
【図９】従来技術における暗号化方式を説明するための概略図
【図１０】従来技術における暗号化方式を説明するための概略図
【符号の説明】
【００４３】
０３０１  出力装置
０３０２  復元装置
０３０４  生インデックス生成部
０３０６  暗号化インデックス取得部
０３１０  暗号化インデックス生成部
０３１２  生インデックス復号化部
【図１】
2013098869.tif 000003
【図２】
2013098869.tif 000004
【図３】
2013098869.tif 000005
【図４】
2013098869.tif 000006
【図５】
2013098869.tif 000007
【図６】
2013098869.tif 000008
【図７】
2013098869.tif 000009
【図８】
2013098869.tif 000010
【図９】
2013098869.tif 000011
【図１０】
2013098869.tif 000012